(57)【特許請求の範囲】
【請求項１】
基礎の上へ水平に木製の土台が固定され、柱外面に設けた凹溝どうしが対向する様に、複数の木製柱を前記土台に固定した前記木製柱の凹溝間へ木製の組付体を落とし込んで板壁面を形成した後に、この板壁面の上面へ水平に、胴差、桁、梁等の水平材を固定し、前記板壁面の屋外側に土材を担持して土壁を形成した木造土壁であって、
前記組付体は、前記凹溝間へ落とし込みが可能な大きさの基板と、この基板の屋外側面に複数枚、接合具で接合される縦板と、これら縦板の外面に複数枚、接合具で接合される横板とからなり、
前記土壁は、前記基板、前記縦板、および前記横板によって囲まれる凹部内へ前記土材を塗り込むことにより形成されることを特徴とする木造土壁。
【請求項２】
基礎の上へ水平に木製の土台が固定され、柱外面に設けた凹溝どうしが対向する様に、複数の木製柱を前記土台に固定した前記木製柱の凹溝間へ木製の組付体を落とし込んでネジで前記木製柱へ固定して板壁面を形成した後に、この板壁面の上面へ水平に、胴差、桁、梁等の水平材を固定し、前記板壁面の屋外側に土材を担持して土壁を形成した木造土壁であって、
前記組付体は、前記凹溝間へ落とし込みが可能な大きさの基板と、この基板の屋外側面へ複数枚、釘で接合した縦板と、これら縦板の外面へ複数枚、釘で接合した横板とからなり、
前記土壁は、前記基板、前記縦板、および前記横板によって囲まれる凹部内へ前記土材を塗り込むことにより形成されることを特徴とする木造土壁。
【請求項３】
屋外側となる基板の屋外側面に複数枚の縦板を接合具で接合し、これら縦板の外面に複数枚の横板を接合具で接合して木製の組付体を製造する組付体製造工程と、
基礎の上へ水平に木製の土台が固定され、柱外面に設けた凹溝どうしが対向する様に、複数の木製柱を前記土台に固定した前記木製柱の凹溝間へ、前記組付体を凹溝上側から落とし込む組付体落込工程と、
前記組付体を前記木製柱へ固定具で固定して板壁面を形成する組付体固定工程と、
前記板壁面の上面へ水平に、胴差、桁、梁等の水平材を固定する水平材固定工程と、
前記基板、前記縦板、および前記横板によって囲まれる凹部内へ土材を塗り込んで土壁を形成する土壁形成工程とを経て製造する木造土壁の施工方法。
【請求項４】
屋外側となる基板の屋外側面に複数枚の縦板を釘で接合し、これら縦板の外面に複数枚の横板を釘で接合して木製の組付体を製造する組付体製造工程と、
基礎の上へ水平に木製の土台が固定され、柱外面に設けた凹溝どうしが対向する様に、複数の木製柱を前記土台に固定した前記木製柱の凹溝間へ、前記組付体を凹溝上側から落とし込む組付体落込工程と、
前記組付体を前記木製柱へネジで固定して板壁面を形成する組付体固定工程と、
前記板壁面の上面へ水平に、胴差、桁、梁等の水平材を固定する水平材固定工程と、
前記基板、前記縦板、および前記横板によって囲まれる凹部内へ土材を塗り込んで土壁を形成する土壁形成工程とを経て製造する木造土壁の施工方法。
【発明の詳細な説明】
【技術分野】
【０００１】
本発明は、板壁面に土壁を形成した木造土壁、およびその施工方法に関する。
【背景技術】
【０００２】
特許文献１には、エキスパンドメタル部分に土壁を塗り込んだ真壁構造が開示されている。
【特許文献１】特開２００６−１６１３２３号公報
【発明の開示】
【発明が解決しようとする課題】
【０００３】
しかし、上記の技術は、次の様な課題がある。
特許文献１の真壁構造は、エキスパンドメタル部分に土壁を塗り込む構造であるので耐震性が低い。
枠体およびエキスパンドメタルを現場で柱に取り付ける必要があるため、施工に手間がかかる。
枠体やエキスパンドメタルがサビ易い。
【０００４】
本発明の第１の目的は、現場での施工が容易で、且つ、土壁を形成した板壁面の強度が高い木造土壁の提供にある。
本発明の第２の目的は、現場での施工が容易であるとともに、短い期間で木造土壁を施工できる木造土壁の施工方法の提供にある。
【課題を解決するための手段】
【０００５】
〔請求項１について〕
木造土壁は、基礎の上へ水平に木製の土台が固定され、柱外面に設けた凹溝どうしが対向する様に、複数の木製柱を土台に固定した木製柱の凹溝間へ木製の組付体を落とし込んで板壁面を形成した後に、この板壁面の上面へ水平に、胴差、桁、梁等の水平材を固定し、板壁面の屋外側に土材を担持して土壁を形成してなる。
【０００６】
組付体は、凹溝間へ落とし込みが可能な大きさの基板と、この基板の屋外側面に複数枚、接合具で接合される縦板と、これら縦板の外面に複数枚、接合具で接合される横板とからなる。
土壁は、基板、縦板、および横板によって囲まれる凹部内へ土材を塗り込むことにより形成される。
【０００７】
基板、縦板、および横板によって囲まれる凹部内へ土材を塗り込んでいるので土材の保持力が大きい。このため、土材が自重で組付体から脱落する現象を防止できる。
基板に縦板を接合具で接合し、縦板に横板を接合具で接合して組付体を製造しているので組付体の強度が高く、基板、縦板、および横板によって囲まれる凹部の変形を防止できる。よって、地震等による外力を受けても、凹部内へ土材を塗り込んで形成した土壁にひび割れ等が発生し難い。
【０００８】
木造土壁は、板壁面を別の作業場で製造しておき、この組付体を木造土壁の建築現場へ運んで木製柱の凹溝間へ落とし込んで板壁面を形成し、基板、縦板、および横板によって囲まれる凹部内へ土材を塗り込んで土壁を形成している。つまり、木造土壁の建築現場では、組付体を製造する必要はないので、現場での施工が容易である。
また、貫や貫つめ等の接続部の加工が少なくて済む。
【０００９】
施工中の木造土壁の異なる部位で、木製柱の凹溝間へ木製の組付体を落とし込む大工仕事と、凹部内へ土材を塗り込むという左官仕事とを同時進行で行えるので、施工の効率化が図れ、工期日数が短縮（特許文献１の４カ月→３カ月）できる。これにより、断熱材を使用する断熱材工法（工期が短い）に迫る工期日数で、土壁を形成した木造土壁を建てることができる。
【００１０】
木製柱の凹溝間へ木製の組付体を落とし込んで板壁面を形成し、この板壁面の屋外側の凹部内へ土材を塗り込んで土壁を形成し、断熱材を使わないので、有害な化学物質が空気中へ放出されず、完成後に木造土壁内に住む居住者の室内環境が良好に保たれる。
【００１１】
〔請求項２について〕
木造土壁は、基礎の上へ水平に木製の土台が固定され、柱外面に設けた凹溝どうしが対向する様に、複数の木製柱を土台に固定した木製柱の凹溝間へ木製の組付体を落とし込んで板壁面を形成した後に、この板壁面の上面へ水平に、胴差、桁、梁等の水平材を固定し、板壁面の屋外側に土材を担持して土壁を形成してなる。
【００１２】
組付体は、凹溝間へ落とし込みが可能な大きさの基板と、この基板の屋外側面へ複数枚、釘で接合した縦板と、これら縦板の外面へ複数枚、釘で接合した横板とからなる。
土壁は、基板、縦板、および横板によって囲まれる凹部内へ土材を塗り込むことにより形成される。
【００１３】
基板、縦板、および横板によって囲まれる凹部内へ土材を塗り込んでいるので土材の保持力が大きい。このため、土材が自重で組付体から脱落する現象を防止できる。
基板に縦板を釘で接合し、縦板に横板を釘で接合して組付体を製造しているので、別の作業場での製造が容易であるとともに、組付体の強度が高く、基板、縦板、および横板によって囲まれる凹部の変形を防止できる。よって、地震等による外力を受けても、凹部内へ土材を塗り込んで形成した土壁にひび割れ等が発生し難い。
【００１４】
基板の屋外側面に縦板を釘で接合し、縦板の外面に横板を釘で接合して木製の組付体を別の作業場で製造する構成であるので、材料費が安価で済むとともに、組付体の機械的な強度が高い。
組付体を木製柱へネジで固定して板壁面を形成しているので、組付体がガタつかず、組付体を木製柱へ強固に固定できる。
【００１５】
木造土壁は、板壁面を別の作業場で製造しておき、この組付体を木造土壁の建築現場へ運んで木製柱の凹溝間へ落とし込んで板壁面を形成し、基板、縦板、および横板によって囲まれる凹部内へ土材を塗り込んで土壁を形成している。つまり、木造土壁の建築現場では、組付体を製造する必要はないので、現場での施工が容易である。
また、貫や貫つめ等の接続部の加工が少なくて済む。
【００１６】
施工中の木造土壁の異なる部位で、木製柱の凹溝間へ木製の組付体を落とし込む大工仕事と、凹部内へ土材を塗り込むという左官仕事とを同時進行で行えるので、施工の効率化が図れ、工期日数が短縮（特許文献１の４カ月→３カ月）できる。これにより、断熱材を使用する断熱材工法（工期が短い）に迫る工期日数で、土壁を形成した木造土壁を建てることができる。
【００１７】
木製柱の凹溝間へ木製の組付体を落とし込んで板壁面を形成し、この板壁面の屋外側の凹部内へ土材を塗り込んで土壁を形成し、断熱材を使わないので、有害な化学物質が空気中へ放出されず、完成後に木造土壁内に住む居住者の室内環境が良好に保たれる。
【００１８】
〔請求項３について〕
木造土壁の施工方法は、下記の工程からなる。
屋外側となる基板の屋外側面に複数枚の縦板を接合具で接合し、これら縦板の外面に複数枚の横板を接合具で接合して木製の組付体を製造する（組付体製造工程）。
【００１９】
基礎の上へ水平に木製の土台が固定され、柱外面に設けた凹溝どうしが対向する様に、複数の木製柱を土台に固定した木製柱の凹溝間へ、組付体を凹溝上側から嵌め込んで落とし込む（組付体落込工程）。
【００２０】
組付体を木製柱へ固定具で固定して板壁面を形成する（組付体固定工程）。
板壁面の上面へ水平に、胴差、桁、梁等の水平材を固定する（水平材固定工程）。
基板、縦板、および横板によって囲まれる凹部内へ土材を塗り込んで土壁を形成する（土壁形成工程）。
【００２１】
木造土壁の施工方法は、下記の利点を有する。
木造土壁の施工方法は、板壁面を別の作業場で製造しておき、この組付体を木造土壁の建築現場へ運んで木製柱の凹溝間へ落とし込んで板壁面を形成し、基板、縦板、および横板によって囲まれる凹部内へ土材を塗り込んで土壁を形成する構成である。つまり、木造土壁の建築現場では組付体を製造する必要がないので、建築現場での施工作業を簡略化できる。また、貫や貫つめ等の接続部の加工が少なくて済む。
【００２２】
また、木造土壁の施工方法は、施工中の木造土壁の異なる部位で、大工仕事（木製柱の凹溝間へ組付体を落とし込む組付体落込工程、組付体を木製柱へ固定具で固定して板壁面を形成する組付体固定工程、板壁面の上面へ水平材を固定する水平材固定工程）と、左官仕事（組付体の凹部内へ土材を塗り込む）とを同時進行で行えるので、施工の効率化が図れ、工期日数が短縮（特許文献１の４カ月→３カ月）できる。
よって、木造土壁の施工方法は、断熱材を使用する断熱材工法（工期が短い）に迫る工期日数で、土壁を形成した木造土壁を建てることができる。
【００２３】
〔請求項４について〕
木造土壁の施工方法は、下記の工程からなる。
屋外側となる基板の屋外側面に複数枚の縦板を釘で接合し、これら縦板の外面に複数枚の横板を釘で接合して木製の組付体を製造する（組付体製造工程）。
【００２４】
基礎の上へ水平に木製の土台が固定され、柱外面に設けた凹溝どうしが対向する様に、複数の木製柱を土台に固定した木製柱の凹溝間へ、組付体を凹溝上側から嵌め込んで落とし込む（組付体落込工程）。
【００２５】
組付体を木製柱へネジで固定して板壁面を形成する（組付体固定工程）。
板壁面の上面へ水平に、胴差、桁、梁等の水平材を固定する（水平材固定工程）。
基板、縦板、および横板によって囲まれる凹部内へ土材を塗り込んで土壁を形成する（土壁形成工程）。
【００２６】
木造土壁の施工方法は、下記の利点を有する。
木造土壁の施工方法は、板壁面を別の作業場で製造しておき、この組付体を木造土壁の建築現場へ運んで木製柱の凹溝間へ落とし込んで板壁面を形成し、基板、縦板、および横板によって囲まれる凹部内へ土材を塗り込んで土壁を形成する構成である。つまり、木造土壁の建築現場では組付体を製造する必要がないので、建築現場での施工作業を簡略化できる。また、貫や貫つめ等の接続部の加工が少なくて済む。
【００２７】
また、木造土壁の施工方法は、施工中の木造土壁の異なる部位で、大工仕事（木製柱の凹溝間へ組付体を落とし込む組付体落込工程、組付体を木製柱へネジで固定して板壁面を形成する組付体固定工程、板壁面の上面へ水平材を固定する水平材固定工程）と、左官仕事（組付体の凹部内へ土材を塗り込む）とを同時進行で行えるので、施工の効率化が図れ、工期日数が短縮（特許文献１の４カ月→３カ月）できる。
よって、木造土壁の施工方法は、断熱材を使用する断熱材工法（工期が短い）に迫る工期日数で、土壁を形成した木造土壁を建てることができる。
【００２８】
木造土壁の施工方法は、基板の屋外側面に縦板を釘で接合し、縦板の外面に横板を釘で接合して木製の組付体を別の作業場で製造する構成であるので、材料費が安価で済むとともに、組付体の機械的な強度を高くすることができる。
木造土壁の施工方法は、組付体を木製柱へネジで固定して板壁面を形成しているので、組付体がガタつかず、組付体を木製柱へ強固に固定できる。
【発明を実施するための最良の形態】
【００２９】
木造土壁は、下記の様にして施工される。
基礎の上へ水平に木製の土台が固定され、柱外面に設けた凹溝どうしが対向する様に、複数の木製柱を土台に固定した木製柱の凹溝間へ、後述する木製の組付体を落とし込み、組付体をネジで木製柱へ固定して板壁面を形成し、板壁面上面へ水平に桁を固定する。
組付体は、凹溝間へ落とし込みが可能な大きさの基板と、この基板の屋外側面へ複数枚、釘で接合した縦板と、これら縦板の外面へ複数枚、釘で接合した横板とからなり、木造土壁の建築現場とは別の作業場で製造される。そして、板壁面の屋外側に臨む、基板、縦板、および横板によって囲まれる凹部内へ土材を塗り込むことにより土壁を形成する。    
【００３０】
木造土壁の建築現場では組付体を製造する必要がないので、建築現場での施工作業を簡略化できる。また、貫や貫つめ等の接続部の加工が少なくて済む。
施工中の木造土壁の異なる部位で、大工仕事と左官仕事とを同時進行で行えるので、施工の効率化が図れ、工期日数を２５％以上、短縮（特許文献１の４カ月に対し３カ月）できる。
【実施例１】
【００３１】
本発明の実施例１（請求項１〜４に対応）を、図１〜図４に基づいて説明する。
図に示す如く、木造土壁Ａは、基礎の上で水平に固定される木製の土台１と、凹溝２１、凹溝３１どうしが対向する様に、土台１に固定される木製柱２、３と、凹溝２１、３１間へ落とし込まれる組付体４と、桁５と、組付体４へ塗り込まれる土材６とからなる。
【００３２】
基礎は、鉄筋コンクリート製の布基礎である。
土台１は、各落とし込み板の板厚の二倍の溝幅の凹溝（図示せず）が上面に形成されている。
木製柱２、３（１２ｃｍ×１２ｃｍ、高さ３．２ｍ、柱中心間の間隔が９１ｃｍ）の柱外壁には、凹溝２１、３１（４ｃｍ×２ｃｍ）どうしが互いに向き合う向きに上下方向に形成されている。
【００３３】
組付体４は、凹溝２１、３１間へ落とし込みが可能な大きさの基板４１と、この基板４１の屋外側面へ複数枚、防錆釘４２で打ち付けた複数の縦板４３と、これら縦板４３の外面へ複数枚、防錆釘４４で打ち付けた複数の横板４５とからなる。
なお、組付体４へ土材６を塗り込むため、横板４５の表面は、木製柱２、３の表面より内側に位置する様に、縦板４３および横板４５の板厚寸法が設定されている。
また、基板４１は、複数枚の板を、凹凸等により接合して形成される。
【００３４】
桁５は、組付体４を凹溝２１、３１間へ落とし込んで木製柱２、３へ、ヘクサロビュラーネジ２０、３０で組付体４を固定して板壁面１０を形成した後、板壁面１０の上面へ水平に固定される。
【００３５】
つぎに、木造土壁Ａの施工手順を述べる。
（１）組付体製造工程
屋外側となる基板４１の屋外側面に複数枚の縦板４３を防錆釘４２で打ち付け、これら縦板４３の外面に複数枚の横板４５を防錆釘４４で打ち付けて木製の組付体４を製造する（図４参照）。なお、組付体４の製造は、木造土壁Ａの建築現場とは別の作業場で行う。  
【００３６】
（２）組付体落込工程
基礎の上へ水平に木製の土台１が固定され、柱外面に設けた凹溝２１、３１どうしが対向する様に、木製柱２、３を土台１に固定した木製柱２、３の凹溝２１、３１間へ、組付体４を凹溝上側から嵌め込んで落とし込む（図１参照）。
【００３７】
（３）組付体固定工程
ヘクサロビュラーネジ２０、３０を斜めにねじ込み、組付体４を木製柱２、３に固定して板壁面１０を形成する（図２参照）。
（４）水平材固定工程
板壁面１０の上面へ、水平に桁５を固定する（図２参照）。
【００３８】
（５）土壁形成工程
基板４１、縦板４３、および横板４５によって囲まれる凹部内へ土材６を塗り込んで土壁を形成する（図３参照）。
【００３９】
本実施例は、以下の利点を有する。
【００４０】
木造土壁Ａは、基板４１の屋外側面に縦板４３を防錆釘４２で打ち付け、縦板４３の外面に横板４５を防錆釘４４で打ち付けて組付体４を製造する構成であるので、材料費が安価で済むとともに、組付体４の機械的な強度が高く、外力が加わっても、基板４１、縦板４３、および横板４５によって囲まれる凹部が容易に変形しない。
【００４１】
また、基板４１、縦板４３、および横板４５によって囲まれる凹部内へ土材６を塗り込んでいるので土材６の保持力が大きい。このため、土材６が自重で組付体４から脱落する現象を防止できる。
よって、強風や地震等の外力が加わっても、凹部内へ土材６を塗り込んで形成した土壁にひび割れ等が発生し難い。
【００４２】
木造土壁Ａは、組付体４を別の作業場で製造し、この組付体４を建築現場へ運んで木製柱２、３の凹溝２１、３１間へ落とし込んで板壁面１０を形成し、凹部内へ土材６を塗り込んで土壁を形成している。つまり、木造土壁Ａの建築現場では、組付体４を製造する必要はないので、現場での施工が容易である。また、貫や貫つめ等の接続部の加工が少なくて済む。
【００４３】
組付体４を木製柱２、３へ、ヘクサロビュラーネジ２０、３０で固定して板壁面１０を形成しているので、組付体４がガタつかず、組付体４を木製柱２、３へ強固に固定できる。
【００４４】
施工中の木造土壁Ａの異なる部位で、木製柱２、３の凹溝間へ木製の組付体４を落とし込む大工仕事と、凹部内へ土材６を塗り込むという左官仕事とを同時進行で行えるので、施工の効率化が図れ、工期日数が短縮（特許文献１の４カ月→３カ月）できる。これにより、断熱材を使用する断熱材工法（工期が短い）に迫る工期日数で、土壁を形成した木造土壁を建てることができる。
【００４５】
木製柱２、３の凹溝間へ木製の組付体４を落とし込んで板壁面を形成し、この板壁面１０の屋外側の凹部内へ土材６を塗り込んで土壁を形成し、断熱材を使わないので、有害な化学物質が空気中へ放出されず、完成後に木造土壁Ａ内に住む居住者の室内環境が良好に保たれる。
【００４６】
本発明は、上記実施例以外に、つぎの実施態様を含む。
ａ．基板４１の屋外側面へ防錆釘４２で打ち付ける縦板４３の本数、および縦板４３の外面へ防錆釘４４で打ち付ける横板４５の本数は任意である。
【００４７】
ｂ．板壁面１０の屋外側の凹部内へ土材６を塗り込み易い様に、横板４５に後方下がりの傾斜を付けても良い。また、横板４５の裏面に凸部を設けて、土材６を凸部で保持する構造にしても良い。
【００４８】
ｃ．基板４１の屋外側面へ縦板４３をネジで固定し、縦板４３の外面へ横板４５をネジで固定しても良い。
【図面の簡単な説明】
【００４９】
【図１】木製柱の凹溝間へ、組付体を凹溝上側から嵌め込んで落とし込むところを示す説明図である。
【図２】板壁面の上面へ桁を固定したところを示す説明図である。
【図３】凹部内へ土材を塗り込んで土壁を形成したところを示す説明図である。
【図４】基板の屋外側面に縦板を防錆釘で打ち付け、これら縦板の外面に横板を防錆釘で打ち付けて木製の組付体を製造する手順を示す工程図である。
【符号の説明】
【００５０】
Ａ  木造土壁
１  土台
２、３  木製柱
４  組付体
５  桁（水平材）
６  土材
１０  板壁面
２０、３０  ヘクサロビュラーネジ（ネジ）
２１、３１  凹溝
４１  基板
４２、４４  防錆釘（釘）
４３  縦板
４５  横板
【図１】
0004388574.tif 000002
【図２】
0004388574.tif 000003
【図３】
0004388574.tif 000004
【図４】
0004388574.tif 000005